(57)【要約】【課題】投票所立会人が、投票人の看視及び投票機の動作状況の把握を容易に行うことを可能とする。【解決手段】投票機Ｔは、カードリーダ／ライタ部２２、投票手続部２３、動作状況検知部２４及び動作状況表示灯２５を備える。カードリーダ／ライタ部２２は、情報を格納する投票カードから投票権の有無を示す投票可否情報を読み出す。投票手続部２３は、投票可否情報に基づいて投票権の有無を判定し、投票権があると判定された場合、投票を受け付け、投票結果を示す投票データを作成する。動作状況検知部２４は、カードリーダ／ライタ部２２及び投票手続部２３の動作を検出し、検出結果に基づいて投票機Ｔの動作状況を検知する。動作状況表示灯２５は、検知された動作状況に応じた方法で点灯する。【選択図】      図２
2004164385.tif 000002
【特許請求の範囲】
【請求項１】
選挙の投票手続を行う投票機であって、
情報を格納する投票カードから投票権の有無を示す投票可否情報を読み出すカード情報読み出し手段と、
前記投票可否情報に基づいて投票権の有無を判定し、投票権があると判定された場合、投票を受け付け、投票結果を示す投票データを作成する投票手続手段と、
前記カード情報読み出し手段及び前記投票手続手段の動作を検出し、検出結果に基づいて投票機の動作状況を検知する動作状況検知手段と、
検知された前記動作状況を表示する動作状況表示手段と、
を備える事を特徴とする投票機。
【請求項２】
前記動作状況検知手段は、前記カード情報読み出し手段及び前記投票手続手段の動作の検出結果に基づいて、投票機の動作状態が、
前記カード情報読み出し手段が、前記投票カードの受け付け待ち中、又は投票手続後の前記投票カードの処分中であることを示す第１の動作状態、
前記投票手続手段が投票手続を正常に実行中であることを示す第２の動作状態、
前記投票手続手段による投票手続中にエラーが発生したことを示す第３の動作状態、及び
上記以外の第４の動作状態、
のいずれであるのかを判定することを特徴とする請求項１に記載の投票機。
【請求項３】
ネットワークを介して、前記投票データを格納する格納手段を備える投票データ収集装置に接続され、
前記投票手続手段は、更に、前記投票データを前記投票データ収集装置に送信する、
ことを特徴とする請求項１又は２に記載の投票機。
【請求項４】
ネットワークを介して、投票機の動作状況を看視する動作状況看視装置に接続され、
前記動作状況の検知結果に基づいて、前記動作状況を示す動作状況情報を作成し、前記動作状況情報を前記動作状況看視装置に送信する動作状況通知手段を
更に備えることを特徴とする請求項１乃至３のいずれか１項に記載の投票機。
【請求項５】
前記動作状況表示手段は、複数の表示灯を備え、
検出された前記動作状況に対応して前記複数の表示灯の点灯状態は制御される、
ことを特徴とする請求項１乃至４のいずれか１項に記載の投票機。
【請求項６】
投票手続をコンピュータに行わせるコンピュータ・プログラムであって、
前記コンピュータは、
カード情報読み出し手段と、
表示手段とを備え、
前記カード情報読み出し手段に、情報を格納する投票カードから投票権の有無を示す投票可否情報を読み出させ、
前記投票可否情報に基づいて投票権の有無を判定し、投票権があると判定された場合、投票を受け付け、投票結果を示す投票データを作成する投票手続を行い、
前記カード情報読み出し手段の動作及び前記投票手続の実行が正常であるか否かを検出し、検出結果に基づいて投票機の動作状況を検知し、
検知された前記動作状況を前記表示手段に表示させる、
ことを含む制御を前記コンピュータに行わせることを特徴とするコンピュータ・プログラム。
【請求項７】
投票手続をコンピュータに行わせるプログラムを記録する記録媒体であって、
前記コンピュータは、
カード情報読み出し手段と、
表示手段とを備え、
前記カード情報読み出し手段に、情報を格納する投票カードから投票権の有無を示す投票可否情報を読み出させ、
前記投票可否情報に基づいて投票権の有無を判定し、投票権があると判定された場合、投票を受け付け、投票結果を示す投票データを作成する投票手続を行い、
前記カード情報読み出し手段の動作及び前記投票手続の実行が正常であるか否かを検出し、検出結果に基づいて投票機の動作状況を検知し、
検知された前記動作状況を前記表示手段に表示させる、
ことを含む制御を前記コンピュータに行わせるプログラムを記録する事を特徴とする記録媒体。
【請求項８】
コンピュータが、選挙の投票手続を行う投票機の動作状況を検知する動作状況検知方法であって、
前記投票機は、情報を格納する投票カードから投票権の有無を示す投票可否情報を読み出すカード情報読み出し手段と、
前記投票可否情報に基づいて投票権の有無を判定し、投票権があると判定された場合、投票を受け付け、投票結果を示す投票データを作成する投票手続手段と
を備え、
コンピュータが、前記カード情報読み出し手段及び前記投票手続手段の動作を検出し、検出結果に基づいて投票機の動作状況を検知する、
ことを含む、ことを特徴とする動作状況検知方法。
【請求項９】
ネットワークを介して接続された、選挙の投票手続を行う投票機の動作状況を看視する動作状況看視装置であって、
各投票機から、投票機を識別する投票機識別情報及び動作状況を示す動作状況情報を受信し、各投票機の前記動作状況情報を出力装置に出力する動作状況看視手段を備え、
前記動作状況看視手段は、新たな動作状況情報を受信するごとに、前記出力装置に出力されている、前記新たな動作状況情報と共に受信した投票機識別情報に対応する動作状況情報を更新する、
ことを特徴とする動作状況看視装置。
【発明の詳細な説明】
【０００１】
【発明の属する技術分野】
本発明は、電子投票システムに関し、特に、投票所に設置される投票機に係わる。
【０００２】
【従来の技術】
近年、選挙において、電子投票システムを導入することが検討されている。この電子投票システムの導入に伴い、投票人及び投票所立会人等にかかる負担を軽減しようとする試みがなされている。
【０００３】
例えば、電子投票システムを導入すると、投票人は不慣れな投票手続を行う事が要求される。また、電子投票を導入するまで、投票所の管理者及び看視者等の投票所立会人は、投票中の投票人の動き・所作に基づいて投票人に不審な点はないか、正常に投票が行われているか等を判断していたが、電子投票システムを導入すると、投票機操作中において投票人の動きはほとんどなくなるため、正常に投票が行われているか否か、投票所立会人には判断しにくくなる。
【０００４】
このような問題を解決する試みとして、電子投票システムに用いられる投票機（選挙端末機）が発明されている。この投票機は、一体型表示入力装置及び音声出力装置を備え、投票人は、一体型表示入力装置上の表示及び音声出力装置から出力される音声に従って、一体型表示入力装置に情報を入力することによって投票を行う。また、投票機は、確認ランプ及び画面ナンバー表示装置を備える他者確認表示装置に接続されている。確認ランプには、確定ランプと終了ランプとがあり、投票が確定された場合に確定ランプを、投票が終了した場合に終了ランプを点滅させる。画面ナンバー表示装置は、現在、投票機の一体型表示入力装置に表示されている画面を識別する番号を表示させる。これにより、投票所立会人は、投票操作の流れを確認する事ができる（例えば、特許文献１参照）。
【０００５】
【特許文献１】
特許第３２２６６６５号公報（段落００８５から段落００９６、段落０１９１から段落０２２０、図１及び図３３）
【０００６】
【発明が解決しようとする課題】
本発明は、上記の発明とは異なる方法で、電子投票システムにおける投票所立会人による投票人の看視及び投票機の動作状況の把握を容易にする技術を提供する事を、解決しようとする課題とする。
【０００７】
【課題を解決するための手段】
上記課題を解決するために、本発明の１態様によれば、選挙の投票手続を行う投票機において、情報を格納する投票カードから投票権の有無を示す投票可否情報を読み出すカード情報読み出し手段と、上記投票可否情報に基づいて投票権の有無を判定し、投票権があると判定された場合、投票を受け付け、投票結果を示す投票データを作成する投票手続手段と、上記カード情報読み出し手段及び上記投票手続手段の動作を検出し、検出結果に基づいて投票機の動作状況を検知する動作状況検知手段と、検知された上記動作状況を表示する動作状況表示手段と、を備えるように構成する。
【０００８】
動作状況検知手段は、投票機を構成する上記カード情報読み出し手段及び上記投票手続手段の動作を検出し、その検出結果に基づいて投票機の動作状況を検知し、動作状況表示手段は、検知された上記動作状況を表示する。従って、電子投票システムにおける投票所立会人は、動作状況表示手段に表示される動作状況に基づいて、投票人の看視及び投票機の動作状況を容易に把握することが可能となる。
【０００９】
ここで、上記動作状況検知手段は、前記カード情報読み出し手段及び前記投票手続手段の動作の検出結果に基づいて、投票機の動作状態が、例えば、上記カード情報読み出し手段が、上記投票カードの受け付け待ち中、又は投票手続後の上記投票カードの処分中であることを示す第１の動作状態、上記投票手続手段が投票手続を正常に実行中であることを示す第２の動作状態、上記投票手続手段による投票手続中にエラーが発生したことを示す第３の動作状態、及び上記以外の第４の動作状態のいずれであるのかを判定することとしてもよい。
【００１０】
また、上記投票機は、ネットワークを介して、上記投票データを格納する格納手段を備える投票データ収集装置に接続され、上記投票手続手段は、更に、上記投票データを上記投票データ収集装置に送信することとしてもよい。これにより、投票データ収集装置に投票データを一括して収集させることが可能となる。収集された投票データは投票後に集計されることとなる。
【００１１】
また、上記投票機は、ネットワークを介して、投票機の動作状況を看視する動作状況看視装置に接続され、上記動作状況の検知結果に基づいて、上記動作状況を示す動作状況情報を作成し、上記動作状況情報を上記動作状況看視装置に送信する動作状況通知手段を更に備えることとしてもよい。投票機から動作状況看視装置に動作状況情報が送信されるため、投票機に備えられた動作状況表示手段に表示された動作状況情報を見なくとも、動作状況看視装置からも投票機の動作状況を知ることが可能となる。
【００１２】
ここで、動作状況看視装置は、出力装置と、その動作状況看視装置に接続されている各投票機の上記動作状況情報を出力装置に出力する動作状況看視手段を備え、投票機は、投票機を識別する投票機識別情報とともに動作状況情報を動作状況看視装置に送信し、動作状況看視手段は、新たな動作状況情報を受信するごとに、出力装置に出力されている、新たな動作状況情報と共に受信した投票機識別情報に対応する動作状況情報を更新することとしてもよい。これにより、動作状況看視装置の出力装置には、各投票機についての最新の動作状況情報が出力される事となる。
【００１３】
また、上記投票機に備えられる上記動作状況表示手段は、複数の表示灯を備え、検出された上記動作状況に対応して上記複数の表示灯の点灯状態は制御される、こととしてもよい。
【００１４】
また、上記投票機を、カード情報読み出し手段と表示手段とを備えるコンピュータによって実現する事も可能である。この場合、上記コンピュータには、上記カード情報読み出し手段に、投票カードから投票権の有無を示す投票可否情報を読み出させ、上記投票可否情報に基づいて投票権の有無を判定し、投票権があると判定された場合、投票を受け付け、投票結果を示す投票データを作成する投票手続を行い、上記カード情報読み出し手段の動作及び上記投票手続の実行が正常であるか否かを検出し、検出結果に基づいて投票機の動作状況を検知し、検知された上記動作状況を上記表示手段に表示させることを含む制御を上記コンピュータに行わせるコンピュータ・プログラムがインストールされ、実行される。
【００１５】
また、カード情報読み出し手段と表示手段とを備えるコンピュータに、上記コンピュータ・プログラムを記録した記録媒体から、そのプログラムを読み出させて実行させることとしてもよい。これによっても、コンピュータによって投票機を実現する事が可能である。
【００１６】
また、上記投票機の動作状況を、上記投票機に接続されたコンピュータに検出させることとしてもよい。この場合、上記コンピュータが、投票機に備えられたカード情報読み出し手段及び投票手続手段の動作を検出し、検出結果に基づいて投票機の動作状況を検知する。この場合、投票所立会人は、上記コンピュータを用いて、投票機の動作状況の把握をすることが可能である。
【００１７】
【発明の実施の形態】
以下、本発明の実施の形態について図面を用いて説明する。
図１に、本発明の第１実施形態に係わる電子投票システムの構成を示す。図１に示すように、電子投票システムは、カード発行機Ｐと、投票所サーバＳと、その投票所サーバＳにネットワークＮを介して接続された１以上の投票機Ｔによって構成される。ネットワークＮとして、例えば、ＬＡＮ（Ｌｏｃａｌ  Ａｒｅａ  Ｎｅｔｗｏｒｋ）、専用回線網、無線回線網等が挙げられる。投票所には、投票所立会人及び、電子投票システムにエラー等が発生した場合に対応する係員が配備される。ここで、投票所立会人が係員を兼ねても良い。投票人は投票を行うために自身が属する投票所に出向く。
【００１８】
カード発行機Ｐは、身元が確認された投票人に対して、投票権を有する事を示す情報が格納された投票カードＣを発行する。投票カードＣとして、例えば、磁気カード、ＩＣ（Ｉｎｔｅｇｒａｔｅｄ  Ｃｉｒｃｕｉｔ）カード等が挙げられる。
【００１９】
投票機Ｔは、投票カードＣに格納された情報に基づいて、投票人が投票権を有する事を確認し、その投票人の投票を受け付け、投票結果を示す投票データを投票所サーバＳに送信する。また、投票を受け付ける際、投票機Ｔは、カードの受け付け／排出中、投票の手続中、エラーの発生中等の動作状況を投票所立会人に分かるように表示する。このため、投票所立会人は、容易に投票人の看視を行う事ができる。なお、図１においては、各投票機Ｔは複数の表示部を備える表示灯を備え、動作状況に対応して表示灯の点灯は制御される場合を例として示すが、これは、動作状況の表示方法を限定する趣旨ではない。表示灯以外の方法として、例えば、ディスプレイ表示、チャイム等が挙げられる。投票機Ｔは、さらに、自投票機Ｔの動作状況を示す動作状況情報を、自投票機Ｔに与えられた投票機識別情報と共に投票所サーバＳに通知することとしてもよい。
【００２０】
投票所サーバＳは、投票に必要な情報、例えば、投票所において行われる選挙の候補者に関する情報等を有し、各投票機Ｔにそれらの情報を提供する。また、投票所サーバＳは、投票機Ｔから投票データを受信し、蓄積する。蓄積された投票データは、投票終了後に集計される。さらに、投票所サーバＳは、１以上の投票機Ｔから動作状況情報を受信することとしてもよい。これにより、投票所立会人は投票所サーバＳからも各投票機Ｔの動作状況を看視することが可能となる。
【００２１】
図２に、上記電子投票システムにおける機能配置図を示す。以下、図２を用いてカード発行機Ｐ、投票機Ｔ及び投票所サーバＳの機能構成について順に説明する。なお、カード発行機Ｐ、投票所サーバＳ及び投票機Ｔが入出力部を備えることは自明であるため、図２において、入出力部は省略されている。
【００２２】
まず、カード発行機Ｐについて説明する。図２に示すように、カード発行機Ｐは、投票人確認部１１、カード発行部１２及び投票所情報格納部１３を含む。投票人確認部１１は、投票所情報格納部１３に格納される投票人情報に基づいて投票人の身元を確認する。カード発行部１２は、身元が確認された投票人に対して、投票カードＣを発行する。投票カードＣには、投票所を識別する投票所識別情報、その投票所で行われる選挙を識別する選挙識別情報及び投票済みか否かを示す投票可否情報等が格納される。投票カードＣの発行時、投票可否情報は、投票未済である事を示す。なお、投票所において複数の選挙、例えば、知事選挙と町長選挙が同時に行われる事もありうる。この場合、投票カードＣには、複数の選挙識別情報と、それぞれの選挙識別情報に対応して複数の投票可否情報が格納される事となる。投票所情報格納部１３は、投票所の投票所識別情報、その投票所において行われる選挙の選挙識別情報及び、その投票所に属する投票人に関する投票人情報を格納する。投票人情報は、項目として、例えば、投票人を識別する投票人識別情報、住所、氏名、年令、性別等を含む。
【００２３】
次に、投票機Ｔの機能構成について説明する。図２に示すように、投票機Ｔは、動作モード確認部２１、カードリーダ／ライタ部２２、投票手続部２３、動作状況検知部２４、動作状況表示灯２５及び動作状況通知部２５を備える。動作モード確認部２１は、投票所サーバＳの動作モードを確認する。なお、投票所サーバＳの動作モードとして、本実施形態では、テストモード、投票開始待ちモード及び運用モードの３モードを想定しているが、これは、投票所サーバＳの動作モードを限定する趣旨ではない。
【００２４】
カードリーダ／ライタ部２２は、投票カードＣから情報を読み出し、また、投票カードＣに格納された情報を書き換える。投票手続部２３は、投票カードＣから読み出された投票所識別情報、選挙識別情報及び投票可否情報に基づいて投票人が投票権を有するか否か確認し、投票権を有することが確認された場合、投票手続を行う。投票手続部２３は、投票手続が終了すると、投票結果を示す投票データを作成し、その投票データを投票所サーバＳに送信する。
【００２５】
動作状況検知部２４は、投票所サーバＳの運用モード、自投票機Ｔに備えられたカードリーダ／ライタ部２２の動作及び投票手続部２３の動作を検出し、その検出結果に基づいて、自投票機Ｔの動作状況を検知する。動作状況表示灯２５は、動作状況検知部２４によって検知された動作状況に応じて点灯する。動作状況通知部２６は、動作状況検知部２４による動作状況の検知結果に基づいて動作状況を示す動作状況情報を作成し、その動作状況情報と自投票機Ｔに与えられた投票機識別情報とを投票所サーバＳに通知する。
【００２６】
最後に、投票所サーバＳの機能構成について説明する。投票所サーバＳは、動作状況看視部３１、候補者情報格納部３２及び投票データ格納部３３を備える。なお、候補者情報格納部３２及び投票データ格納部３３は、記録媒体の故障が発生した場合等に備えて多重化することとしてもよい。
【００２７】
動作状況看視部３１は、各投票機Ｔから動作状況情報を受信し、不図示に出力装置に受信した動作状況情報を出力させる。なお、動作状況看視部３１は、受信した動作状況情報の示す内容に応じて出力装置に動作情報情報を出力させる方法を変えることにより、必要に応じて投票所立会人に注意又はエラー対処等を促す事としても良い。動作状況情報の示す内容に応じて動作状況情報を出力する方法を変える例として、動作状況情報の内容に応じた異なる色を用いて、各動作状況情報を出力装置に出力させることが挙げられる。
【００２８】
候補者情報格納部３２は、投票所の投票所識別情報とその投票所で行われる選挙の選挙識別情報とともに、その選挙の候補者についての情報である候補者情報を格納する。候補者情報は、項目として、候補者の氏名、所属政党等を含む。なお、投票所で複数の選挙が行われる場合、投票所サーバＳは、各選挙用に複数の候補者情報格納部３２を備える。
【００２９】
投票データ格納部３３は、各投票機Ｔから送信された投票データを格納する。投票データは、項目として、投票所識別情報、投票対象となった選挙の選挙識別情報及び投票された候補者の氏名を含む。
【００３０】
次に、投票所サーバＳ及びカード発行機Ｐの構成について説明する。投票所サーバＳ及びカード発行機Ｐは、コンピュータを用いて構成される。図３に、コンピュータの構成図を示す。図３に示すようにコンピュータは、ＣＰＵ４１、メモリ４２、入力装置４３、出力装置４４、外部記憶装置４５、媒体駆動装置４６、及びネットワーク接続装置４７を備え、それらはバス４８により互いに接続されている。また、カード発行機Ｐを実現するコンピュータは、更に、カードライタ（不図示）を含む。カードライタは、カード発行機Ｐのカード発行部１２を実現する。
【００３１】
メモリ４２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を含み、処理に用いられるプログラムとデータを格納する。投票所サーバＳ内の動作状況看視部３１は、投票所サーバＳを実現するコンピュータのメモリ４２の特定のプログラムコードセグメントにプログラムとして格納される。一方、カード発行機Ｐ内の投票人確認部１１は、カード発行機Ｐを実現するコンピュータのメモリ４２の特定のプログラムコードセグメントにプログラムとして格納される。なお、投票所サーバＳ及びカード発行機Ｐによって行われる処理について詳しくは、後述する。
【００３２】
ＣＰＵ４１は、メモリ４２を利用して上述のプログラムを実行することにより、必要な処理を行う。
入力装置４３は、例えば、キーボード、ポインティングデバイス、タッチパネル等であり、ユーザからの指示や情報の入力に用いられる。出力装置４４は、例えば、ディスプレイやプリンタ等であり、コンピュータのユーザへの問い合わせ、処理結果等の出力に用いられる。
【００３３】
外部記憶装置４５は、例えば、磁気ディスク装置、光ディスク装置、光磁気ディスク装置等である。外部記憶装置４５は、投票所サーバＳ内の候補者情報格納部３２及び投票データ格納部３３、並びにカード発行機Ｐ内の投票所情報格納部１３を実現する。さらに、投票所サーバＳを実現するコンピュータ用のプログラム又はカード発行機Ｐを実現するコンピュータ用のプログラムをコンピュータの外部記憶装置４５に保存しておき、必要に応じて、それらをメモリ４２にロードして使用することもできる。
【００３４】
媒体駆動装置４６は、可搬記録媒体４９を駆動し、その記録内容にアクセスする。可搬記録媒体４９としては、メモリカード、メモリスティック、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、光ディスク、光磁気ディスク、ＤＶＤ（Ｄｉｇｉｔａｌ  ＶｅｒｓａｔｉｌｅＤｉｓｋ）等、任意のコンピュータ読み取り可能な記録媒体が用いられる。この可搬記録媒体４９に上述のプログラムを格納しておき、必要に応じて、それをコンピュータのメモリ４２にロードして使用することもできる。
【００３５】
ネットワーク接続装置４７は、ネットワークＮを介して他の装置と通信し、通信に伴うデータ変換を行う。また、必要に応じて、上述のプログラムを外部の装置から受け取り、それをコンピュータのメモリ４２にロードして使用することもできる。
【００３６】
次に、図４及び図５を用いて、投票機Ｔの構成例について説明する。まず、図４を用いて、投票機Ｔの外観例について説明する。図４において、入出力部としてタッチパネルを採用し、動作状況表示部２４として動作状況表示灯を採用した場合の投票機Ｔの外観を示す。図４に示すように、投票機Ｔは、タッチパネル画面操作部５１、投票カード挿入口５２、タッチパネル操作ペン５３及び動作状況表示灯５４を備える。
【００３７】
投票人は、投票カード挿入口５２に投票カードＣを挿入し、タッチパネル画面操作部５１に表示される画面の指示に従って、タッチパネル操作ペン５３を用いてタッチパネル画面操作部５１に必要な情報を入力する事により投票を行う。投票人によって投票に必要な情報がすべて入力されると、投票カードＣは投票カード挿入口５２から排出され、投票手続は終了する。なお、投票が終了すると投票カードＣは、そのまま投票機Ｔに回収される事としても良い。ここで、投票カードＣの挿入から排出までの投票機Ｔの動作状況は、動作状況表示灯５４に備えられる複数の表示部のうちのいずれが点灯しているのかによって示される。
【００３８】
次に、図５を用いて、図４に示す投票機Ｔのハードウェア構成について説明する。図５に示すように、投票機Ｔは、タッチパネルディスプレイ６１、カードリーダ／ライタ６２、入出力インタフェース６３、ＣＰＵ及びメモリを備えるメイン制御部６４、外部記憶装置６５及び動作状況表示灯６６を備える。
【００３９】
タッチパネルディスプレイ６１は、タッチパネル画面操作部５１とディスプレイとを積層したものである。タッチパネルディスプレイ６１は、タッチパネル操作ペン５３と共に、投票機Ｔの入出力装置を実現する。
【００４０】
カードリーダ／ライタ６２は、図２のカードリーダ／ライタ部２２に相当する。カードリーダ／ライタ６２へのカードの挿入及びカードの排出は、図４に示す投票カード挿入口５２を介して行われる。  入出力インタフェース６３は、カードリーダ／ライタ６２及び動作状況表示灯６６と、メイン制御部６４との間に介在し、それぞれの間での信号のやり取りを行う。インタフェースの規格として、例えば、ＳＣＳＩ（Ｓｍａｌｌ  Ｃｏｍｐｕｔｅｒ  Ｓｙｓｔｅｍ  Ｉｎｔｅｒｆａｃｅ）、ＲＳ（Ｒｅｃｏｍｍｅｎｄｅｄ  Ｓｔａｎｄａｒｄ）２３２Ｃ及びＵＳＢ（ＵｎｉｖｅｒｓａｌＳｅｒｉａｌ  Ｂｕｓ）等が挙げられる。
【００４１】
メイン制御部６４は、少なくとも、ＣＰＵとメモリを備える。投票機Ｔの操作モード確認部２１、投票手続部２３、動作状況検知部２４及び動作状態通知部２６は、メイン制御部６４内のメモリ４２の特定のプログラムコードセグメントにプログラムとして格納される。メイン制御部６４内のＣＰＵは、メモリを利用して上述のプログラムを実行することにより、必要な処理を行う。
【００４２】
外部記憶装置６５は、上記プログラムを格納したり、係員がエラー対処を行う際の暗証番号を格納したりする。動作状況表示灯６６は、図２に示す動作状況表示灯２５及び図４に示す動作状況表示灯５４に相当する。
【００４３】
以下、投票カードＣの発行手順について説明する。投票人が投票所に出向くと、投票所係員は、投票人から投票人識別情報を取得し、カード発行機Ｐに入力する。投票人識別情報は、予め投票人に送付された投票所及び投票権を有する事を記載した文書（いわゆる投票所入場整理券）等を投票人に送付する事によって投票人に通知する事としても良いし、投票人識別情報を住民票番号とすることとしてもよい。なお、投票人識別情報の代わりに住所、氏名等をカード発行機Ｐに入力することとしてもよい。
【００４４】
カード発行機Ｐの投票人確認部１１は、投票所情報格納部１３から入力された投票人識別情報あるいは住所・氏名等を含む投票人情報を検索する。検索の結果、該当する投票人情報を取得できた場合、その投票人の身元が確認できたことになる。この場合、カード発行機Ｐ内のカード発行部１２は、その投票人に対して、投票カードＣを発行する。検索の結果、該当する投票人情報を取得なかった場合、投票人確認部１１は、その投票人の身元が確認できない旨を不図示の表示部に表示する。このようにして、投票所において投票カードＣを投票人に発行する。投票人は発行された投票カードＣを用いて、投票機Ｔにおいて投票手続を行う。
【００４５】
以下、投票時の投票機Ｔの動作状況について説明する。なお、説明において、投票機Ｔにおいて、入出力部としてタッチパネルディスプレイを採用し、動作状況表示部２４として３つの表示部を備える動作状況表示灯を採用していると仮定する。
【００４６】
正常時、投票機Ｔの動作状況は、「運用待機中」、「投票カードＣの待ち受け中」、「投票手続中」及び「投票カードＣの排出又は回収中」の何れかである。動作状況が「運用待機中」である場合、投票機Ｔは、投票所サーバＳが運用モード又はテストモードに設定されるまで待機している。動作状況が「投票カードＣの待ち受け中」である場合、投票所サーバＳは運用モード又はテストモード中であって、且つ、投票機Ｔは投票カードＣが投票カード挿入口５２に挿入されることを待ち受けている。動作状況が「投票手続中」である場合、投票人が、投票機Ｔにおいて投票手続を行っている。動作状況が「投票カードＣの排出又は回収中」である場合、投票機Ｔは、投票手続が終了し、投票カード挿入口５２に挿入されている投票カードＣを排出又は回収している。
【００４７】
エラー発生時、投票機Ｔの動作状況は、「エラー画面表示中」、「暗証番号入力待ち中」及び「係員対処中」の何れかである。動作状況が「エラー画面表示中」である場合、投票機Ｔに何らかのエラーが発生し、投票機Ｔは、係員による対処を待っている。動作状況が「暗証番号入力待ち中」である場合、投票機Ｔは、暗証番号が入力される事を待っている。動作状況が「係員対処中」である場合、発生したエラーに係員が対処しているところである。
【００４８】
続いて、投票機Ｔの動作状況の表示方法について説明する。動作状況表示灯５４は、表示部１、表示部２及び表示部３の３つの表示部を備え、３つの表示部の点灯は、以下のように投票機Ｔの動作状況に対応して制御される。なお、この表示方法は一例である。
【００４９】
表示部１が点灯中、表示部２及び３は消灯中：暗証番号入力待ち中
表示部１が点滅中、表示部２及び３は消灯中：エラー画面表示中
表示部２が点灯中、表示部１及び３は消灯中：投票カードＣの待ち受け中
表示部２及び３が点灯中、表示部１は消灯中：投票カードＣの排出中／回収中
表示部３が点灯中、表示部１及び２は消灯中：投票手続中
全ての表示灯が消灯中：運用待機中又は、エラー対処中
まず、図６を用いて、正常時の動作状況表示灯の表示部の点灯状態の遷移について説明する。
【００５０】
１）投票開始時刻に係員によって運用確認入力がされるまで、投票所サーバＳは、運用待機モードであるため、投票機Ｔの状態も「運用待機中」となる。このとき、全ての表示部は消灯している。
【００５１】
２）係員によって投票所サーバＳに運用確認入力が行われると、投票所サーバＳは運用待機モードとなる。これにより、投票機Ｔの状態は、投票カード挿入口５２に投票カードＣが挿入されるまで「投票カードＣの待ち受け中」になる。この間、表示部２のみが点灯する。ここで、運用確認入力は、投票所サーバＳの動作モードを運用モードに変更するために行われる。
【００５２】
３）投票機Ｔの投票カード挿入口５２に投票カードＣが挿入されると、投票手続が開始される。これにより、投票機Ｔの状態は、投票カードＣが抜き取られるか回収されるまで、「投票手続中」になる。この間、表示部３のみが点灯する。
【００５３】
４）投票手続が終了し、投票データが投票所サーバＳに送信されると、投票カードＣが排出される。これにより、投票機Ｔの状態は、投票カードＣが投票人によって抜き取られるまで、「投票手続中」且つ「投票カードＣの排出中」になる。この間、表示部２及び３が点灯する。なお、投票データの送信後、投票カードＣを排出する代わりに、投票機Ｔ内に回収する場合、投票機Ｔの状態は、投票カードＣの回収が完了するまで、「投票手続中」且つ「投票カードＣの回収中」になる。表示部の点灯状態は、投票カードＣを排出する場合と同様である。なお、投票手続が終了した投票カードＣを排出する又は回収することを、投票カードＣの処分という。
【００５４】
５）投票カードＣが抜き取られるか又は回収されると、上記の状態２）に戻る。以降、投票終了時刻に係員によって投票所サーバＳに運用終了入力が行われるまで、状態２）から４）が繰り返される。ここで、運用終了入力は、投票所サーバＳの動作モードを運用モードからその他のモード、例えば投票開始待ちモードに変更するために行われる。
【００５５】
以下、図７を用いて正常時における処理の手順について説明する。なお、図７において、投票後、投票カードＣを排出すると仮定しているが、投票後に投票カードＣを投票機Ｔ内に回収することとしても良いことは言うまでもない。
【００５６】
まず、投票開始に先立ち、投票機Ｔの表示部を全て消灯した上で、電子投票システムを起動する（ステップＳ１１）。続いて、投票機Ｔ内の動作モード確認部２１は、投票所サーバＳの現在の動作モードを投票所サーバＳに問い合わせる。投票所サーバＳがテストモード実行中である場合（ステップＳ１２：Ｙｅｓ）、ステップＳ１６に進む。投票所サーバＳが運用確認入力待ちである場合（ステップＳ１３：Ｙｅｓ）、ステップＳ１５に進む。
【００５７】
投票所サーバＳでテストモードでも、運用確認入力待ちでもない場合（ステップＳ１２：Ｎｏ、且つステップＳ１３：Ｎｏ）、投票所サーバＳは運用モード実行中である（ステップＳ１４）。この場合、ステップＳ１６に進む。
【００５８】
ステップＳ１５において、動作モード確認部２１は、係員によって、投票の受け付け開始を指示する運用確認入力が行われるまで待つ。運用確認入力が行われると、投票手続部２３は投票数を０（零）に初期化し、ステップＳ１６に進む。
【００５９】
ステップＳ１６において、投票手続部２３は、ディスプレイに投票カードＣの挿入待ち受け画面を表示させる。図８（ａ）に、投票カードＣの挿入待ち受け画面の一例を示す。動作状況検知部２４は、投票機Ｔの動作状況は「投票カードＣの待ち受け中」であると判定し、動作状況表示灯５４の表示部２のみが点灯される。さらに、投票カードＣが投票カード挿入口５２に挿入されたことをカードリーダ／ライタ部２２が検出するまでこの状態を維持する。投票カードＣの挿入をカードリーダ／ライタ部２２が検出すると、投票人が投票権を有するか否か確認する（ステップＳ１７）。そのために、ステップＳ１７において、まず、カードリーダ／ライタ部２２は、挿入された投票カードＣから投票所識別情報、選挙識別情報及び投票可否情報を読み出す。続いて、投票手続部２３は、投票可否情報が「投票未済」を示し、且つ、投票所識別情報及び選挙識別情報が投票所サーバＳ内の候補者情報格納部３２に格納された投票所識別情報及び選挙識別情報と一致するか否か判定する。なお、投票カードＣに複数の選挙識別情報が格納されている場合、カードリーダ／ライタ部２２は、そのうちの１つの選挙識別情報及びその選挙識別情報に対応する投票可否情報を読み出す。
【００６０】
投票手続部２３は、投票可否情報が「投票未済」を示し、且つ、投票所識別情報及び選挙識別情報が投票所サーバＳ内の候補者情報格納部３２に格納された投票所識別情報及び選挙識別情報と一致する場合、その投票カードＣを有する投票人が投票権を有する事が確認され（ステップＳ１７：Ｙｅｓ）、ステップＳ１９に進む。そうでない場合（ステップＳ１７：Ｎｏ）、投票手続部２３は、エラーが発生したと判定し、ステップＳ１８に進む。
【００６１】
ステップＳ１８において、投票手続部２３は、エラー画面をディスプレイに表示させる。動作状況検知部２４は、投票機Ｔの動作状況は「エラー画面表示中」であると判定し、動作状況表示灯５４の表示灯２は消灯され、表示灯１は点滅され、エラー処理に移行する。エラー処理については後述する。
【００６２】
ステップＳ１９において、動作状況検知部２４は、投票機Ｔの動作状況は「投票手続中」であると判定し、動作状況表示灯５４の表示灯２は消灯され、表示灯３は点灯される。投票手続部２３は、投票手続を行う。すなわち、投票手続部２３は、投票カードＣから読み出した投票所識別情報及び選挙識別情報と一致する投票所識別情報及び選挙識別情報を格納する投票所サーバＳ内の候補者情報格納部３２から候補者情報を取得し、その候補者情報をディスプレイに表示した上で、投票人に投票したい候補者を選択するように指示する。投票人が候補者を選択すると、投票手続部２３は、選択の確認を行った後、選挙識別情報及び選択された候補者の候補者名を含む投票データを作成し、投票所サーバＳに送信する。投票所サーバＳは、受信した投票データを投票データ格納部３３に格納する。図８（ｂ）に、投票したい候補者の選択を指示する際にディスプレイに表示される画面の一例を示し、図８（ｃ）に、投票する候補者を確認する際にディスプレイに表示される画面の一例を示し、図８（ｄ）に、投票データの送信中にディスプレイに表示される画面の一例を示す。
【００６３】
上記の投票手続が正常に行われた場合（ステップＳ２０：Ｙｅｓ）、投票手続部２３は、ステップＳ１７で読み出した選挙識別情報に対応する投票可否情報を「投票未済」から「投票既済」を示すように変更し、ステップＳ２２に進む。投票手続中にエラーが発生した場合（ステップＳ２０：Ｎｏ）、ステップＳ２１に進む。
【００６４】
ステップＳ２１において、上述のステップＳ１８と同様の処理を行い、エラー処理に移行する。なお、エラーが発生したとして判定される場合として、例えば、投票人に入力を指示した場合に一定期間以上入力がない場合、一定時間以上画面がプログラムに応答がなかった場合、電源喪失の場合等が挙げられる。
【００６５】
ステップＳ２２において、カードリーダ／ライタ部２２は、対応する投票可否情報が「投票未済」を示すような選挙識別情報が投票カードＣに格納されているか否か判定する。対応する投票可否情報が「投票未済」を示すような選挙識別情報が投票カードＣに格納されている場合（ステップＳ２２：Ｎｏ）、その投票所において複数の選挙投票が行われており、投票人は、それら選挙の全ての投票を済ませていないことになる。従って、カードリーダ／ライタ部２２は、選挙識別情報を投票カードＣから読み出し、ステップＳ１９にもどる。これにより、残る選挙についての投票手続を行う。そうでない場合（ステップＳ２２：Ｙｅｓ）、その投票所で行われている選挙投票についての全ての投票手続が済んでいるため、ステップＳ２３に進む。
【００６６】
ステップＳ２３において、投票手続部２３は、投票手続が終了した旨を示す画面をディスプレイに表示させ、カードリーダ／ライタ部２２は、投票カードＣを投票カード挿入口５２から排出する。動作状況検知部２４は、投票機Ｔの動作状況は「投票カードＣの排出中」であると判定し、動作状況表示灯５４の表示部２及び３が点灯される。図８（ｅ）に、投票手続が終了した旨を示す画面の一例を示す。投票カードＣが投票カード挿入口５２から排出されると、投票手続部２３は、投票カードＣを抜き取るよう指示する画面をディスプレイに表示させる。図８（ｆ）に、投票カードＣの抜き取りを指示する画面の一例を示す。
【００６７】
続いて、カードリーダ／ライタ部２２が、投票カードＣが投票カード挿入口５２から抜き取られたことを検出すると（ステップＳ２４）、動作モード確認部２１は、投票所サーバＳに運用終了入力が行われたか否か判定する（ステップＳ２５）。投票所サーバＳに運用終了入力が行われていない場合（ステップＳ２５：Ｎｏ）、動作状況検知部２４は、その投票人についての投票手続は終了したと判定し、動作状況表示灯５４の表示部３は消灯され、ステップＳ１６に戻る。投票所サーバＳに運用終了入力が行われた場合（ステップＳ２５：Ｙｅｓ）、処理を終了する。
【００６８】
なお、投票後、投票カードＣを回収する場合、ステップＳ２３において、カードリーダ／ライタ部２２は、投票カードＣを投票機Ｔ内に回収し、ステップＳ２４において、回収の終了を検出することとなる。
【００６９】
また、上記処理において、投票機Ｔは、さらに、動作状況が変化するたびに自投票機Ｔの動作状況を示す動作状況情報を、自投票機Ｔに与えられた投票機識別情報と共に投票所サーバＳに通知することとしてもよい。この場合、投票所サーバＳ内の動作状況看視部３１は、表示装置（不図示）に、動作状況情報と投票機識別情報を各投票機Ｔの動作状況を表示する。また、動作状況看視部３１は、新たな動作状況情報を受信するごとに、その動作状況情報と共に受信した投票機識別情報に対応する投票機Ｔの動作状況情報を更新する。これにより、投票機Ｔの動作状況表示灯５４を見なくとも、投票所サーバＳの表示装置を見る事によって投票機Ｔの最新の動作状況を知ることが可能となる。なお、動作情報看視部３１は、受信した動作状況情報に基づいて、動作状況情報の表示方法、例えば、色、字体等を変えることとしても良い。
【００７０】
次に、図９を用いて、エラー発生時の表示部の点灯状態の遷移について説明する。
１）投票中にエラーが発生すると、係員によって所定の操作が行われるまで、投票機Ｔは、エラーが発生した旨を投票人に知らせるエラー画面をパネルに表示する。これにより、投票機Ｔの状態は「エラー画面表示中」となる。この間、表示部１のみが点滅する。なお、この係員による操作は、不用意に投票人が権限のない操作を誤って行う事を防ぐために行われる。
【００７１】
２）係員によって所定の操作がされると、投票機Ｔは、係員に暗証番号を入力するよう指示する。これにより、投票機Ｔの状態は、係員が正しい暗証番号を入力するまで「暗証番号入力待ち中」になる。この間、表示部２のみが点灯する。この暗証番号の入力も、不用意に投票人が権限のない操作を誤って行う事を防ぐためである。
【００７２】
３）係員によって所定の操作がされると、投票機Ｔの状態は、エラーが解消され、且つ、投票カードＣが投票機Ｔから抜き取られるまで「エラー対処中」になる。この間、全ての表示部を消灯する。
【００７３】
４）エラーが解消され、投票カードＣが投票機Ｔから抜き取られると、投票機Ｔの状態は、「カード待ち受け中」になり、表示部２のみが点灯する。これにより、正常時に復帰する。
【００７４】
以下、図１０を用いてエラー発生時の処理の手順について説明する。
エラーが発生すると、動作状況検知部２４は、投票機Ｔの動作状況は「エラー画面表示中」であると判定し、動作状況表示灯５４の表示灯２は消灯され、表示灯１が点滅する（ステップＳ３１）。なお、ステップＳ３１は、図７のステップＳ１８に相当する。続いて、投票手続部２３は、ディスプレイにエラー画面を表示させ、係員によって所定の操作が行われるまで待つ（ステップＳ３２）。図１１（ａ）に、エラー表示画面の一例を示す。
【００７５】
係員によって所定の操作が行われると（ステップＳ３２：Ｙｅｓ）、動作状況検知部２４は、投票機Ｔの動作状況は「暗証番号入力待ち中」であると判定し、動作状況表示灯５４の表示部１が点灯される。投票手続部２３はディスプレイに暗証番号の入力を指示する画面を表示させ（ステップＳ３３）、係員が有効な暗証番号を入力するまで待つ（ステップＳ３４）。図１１（ｂ）に、暗証番号の入力画面の一例を示す。
【００７６】
有効な暗証番号が入力されると（ステップＳ３４：Ｙｅｓ）、動作状況検知部２４は、投票機Ｔの動作状況は「エラー対処中」であると判定し、動作状況表示灯５４の表示部１が消灯される（ステップＳ３５）。係員は、エラーを解消するために必要な操作を行い、正常状態に復旧するまでエラーに対処する（ステップＳ３６）。対処の結果、正常状態に復旧すると（ステップＳ３７：Ｙｅｓ）、カードリーダ／ライタ部２２は、投票カード挿入口５２に投票カードＣが挿入されているか否か判定する（ステップＳ３８）。
【００７７】
投票カード挿入口５２に投票カードＣが挿入されている場合（ステップＳ３８：Ｙｅｓ）、ステップＳ３９に進み、そうでない場合（ステップＳ３９：Ｎｏ）、ステップＳ４０に進む。
【００７８】
ステップＳ３９において、カードリーダ／ライタ部２２は、投票カード挿入口５２から投票カードＣを排出し、投票手続部２３は、投票カードＣの抜き取りを指示する画面をディスプレイに表示する。図１１（ｃ）に、投票カードＣの排出時の画面の一例を示す。図１１（ｃ）に示すように、画面にエラーの原因を表示させることとしても良い。係員は画面の指示に従って、その投票カードＣを抜き取る。
【００７９】
ステップＳ４０において、動作状況検知部２４は、エラー対処は終了し、投票機Ｔの動作状況は「投票カードＣの待ち受け中」に遷移したと判定し、動作状況表示灯５４の表示灯２が点灯され、図７のステップＳ１６に戻る。
【００８０】
投票機Ｔは、正常時と同様にエラー発生時においても、動作状況が変化するたびに、自投票機Ｔの動作状況を示す動作状況情報を、自投票機Ｔに与えられた投票機識別情報と共に投票所サーバＳに通知することとしてもよい。又は、エラー発生時のみに、投票機Ｔは、自投票機Ｔの動作状況を示す動作状況情報を、自投票機Ｔに与えられた投票機識別情報と共に投票所サーバＳに通知する事としても良い。さらに、エラー発生時に動作状況情報を投票所サーバＳに通知する場合、エラーの発生原因も共に通知する事としても良い。
【００８１】
エラー発生時の場合も、正常時の場合と同様に、投票所サーバＳ内の動作状況看視部３１は、表示装置（不図示）に、動作状況情報と投票機識別情報を各投票機Ｔの動作状況を表示し、新たな動作状況情報を受信するごとに、その動作状況情報と共に受信した投票機識別情報に対応する投票機Ｔの動作状況情報を更新する。
【００８２】
図１２は、投票所サーバＳの表示装置に表示される投票機Ｔの動作状況を示す画面の一例である。図１２に示す画面には、ＧＵＩ（Ｇｒａｐｈｉｃ  Ｕｓｅｒ  Ｉｎｔｅｒｆａｃｅ）が採用されていると仮定する。この画面には、投票所名、投票の実施状況、投票所で行われている選挙名、投票数、エラーが発生している投票機Ｔの投票機識別情報及びエラー原因を示す情報、運用モードの終了を指示するための「投票締め切り」ボタン及び投票所サーバＳでの処理の終了を指示するための「終了」ボタンが表示される。この場合、「投票締め切り」ボタンの押下が、「運用終了入力」に相当する。
【００８３】
図１２に示す画面によれば、投票所サーバＳは、投票所名が「第一投票所」である投票所用であること、投票実行中であること、記録媒体は、正・副の２つ備えられており双方とも使用可能であること、その投票所では２つの選挙「知事選挙」及び「市長選挙」の投票が行われており、開始から１６票投票されていること、エラーが発生している投票機Ｔの投票機識別情報は「１１８」であり、エラー原因は「投票済みの投票カードが挿入されたこと（全投票済みエラー）」であることが分かる。
【００８４】
また、投票所サーバＳへの動作状況情報の送信は、エラーが発生した際にのみ行うこととしても良い。さらに、エラーが発生した際に動作状況情報を送信する際には、エラーの原因を示す情報も合わせて投票所サーバＳに送信する事としても良い。
【００８５】
以上、本発明の実施形態について説明したが、本発明は上述した実施形態及び変形例に限定されるものではなく、その他の様々な変更が可能である。
例えば、上記において、入出力装置としてタッチパネルディスプレイ及びペンを採用し、動作状況表示灯を採用した専用端末として説明した。しかし、投票機Ｔを、図３に示すようなコンピュータを用いて構成することとしても良い。
また、例えば、動作状況表示灯の代わりに表示装置、アラーム等を用いることとしてもよい。この場合、検知された動作状況に応じて異なる表示画面や異なるアラーム音を採用することによって、投票所立会人が動作状況を把握することができるようにする。
【００８６】
【発明の効果】
以上詳細に説明したように、本発明によれば、投票機に備えられたカード情報読み出し手段及び投票手続手段の動作を検出し、検出結果に基づいて投票機の動作状況を検知する。そして、検知された動作状況を投票機に備えられた動作状況表示部に表示したり、投票機にネットワークを介して接続された投票所サーバに動作状況を示す情報を送信したりする。これにより、投票所立会人は、投票機に備えられた動作状況表示部の表示或いは、投票所サーバに出力された動作状況を示す情報に基づいて、投票人の看視及び投票機の動作状況の把握をすることが可能となる。
【図面の簡単な説明】
【図１】電子投票システムの構成図である。
【図２】電子投票システムにおける機能配置図である。
【図３】コンピュータの構成図である。
【図４】投票機の外観例を示す図である。
【図５】投票機の構成例を示す図である。
【図６】正常時の動作状況表示灯の点灯状態の遷移を説明する図である。
【図７】正常時における処理の手順を示すフローチャートである。
【図８】正常時に出力される画面の例を示す図である。
【図９】エラー発生時の動作状況表示灯の点灯状態の遷移を説明する図である。
【図１０】エラー発生時における処理の手順を示すフローチャートである。
【図１１】エラー発生時に出力される画面の例を示す図である。
【図１２】投票所サーバの表示装置に表示される画面の一例を示す図である。
【符号の説明】
１１  投票人確認部
１２  カード発行部
１３  投票所情報格納部
２１  動作モード確認部
２２  カードリーダ／ライタ
２３  投票手続部
２４  動作状況検知部
２５  動作状況表示灯
２６  動作状況通知部
３１  動作状況看視部
３２  候補者情報格納部
３３  投票データ格納部
４１  ＣＰＵ
４２  メモリ
４３  入力装置
４４  出力装置
４５  外部記憶装置
４６  媒体駆動装置
４７  ネットワーク接続装置
４８  バス
４９  可搬記録媒体
５１  パッチパネル画面操作部
５２  投票カード挿入口
５３  タッチパネル操作ペン
５４  動作状況表示灯
６１  タッチパネルディスプレイ
６２  カードリーダ／ライタ
６３  入出力インタフェース
６４  メイン制御部
６５  外部記憶装置
６６  動作状況表示灯
Ｃ  投票カード
Ｎ  ネットワーク
Ｐ  カード発行機
Ｓ  投票所サーバ
Ｔ  投票機
【図１】
2004164385.tif 000003
【図２】
2004164385.tif 000004
【図３】
2004164385.tif 000005
【図４】
2004164385.tif 000006
【図５】
2004164385.tif 000007
【図６】
2004164385.tif 000008
【図７】
2004164385.tif 000009
【図８】
2004164385.tif 000010
【図９】
2004164385.tif 000011
【図１０】
2004164385.tif 000012
【図１１】
2004164385.tif 000013
【図１２】
2004164385.tif 000014